(57)【要約】【課題】 ハイブリッド車のモータ冷却用電動ポンプとして使用するのに好適であり、低コスト化およびコンパクト化が図られたポンプユニットを提供する。【解決手段】  ハウジング2と、ハウジング2内に配置された回転軸3と、回転軸3を回転させるモータ4と、回転軸3を支持する１対の軸受4,5とを備えている。左の軸受4は、円錐ころ軸受であり、円錐ころ軸受4のポンプ作用によって、油供給通路9を介して円錐ころ軸受4の小径側に導入された油が円錐ころ軸受4の大径側から吐出される。【選択図】    図１
2008190373.tif 000002
【特許請求の範囲】
【請求項１】
ハウジングと、ハウジング内に配置された回転軸と、回転軸を回転させるモータと、回転軸を支持する１対の軸受とを備えており、１対の軸受の一方は、円錐ころ軸受であり、円錐ころ軸受が大径側を軸方向外側にして配置されるとともに、ハウジングを貫通して円錐ころ軸受の小径側に油を供給する油供給通路が形成されており、円錐ころ軸受のポンプ作用によって円錐ころ軸受の大径側から油が吐出されることを特徴とするポンプユニット。
【発明の詳細な説明】
【技術分野】
【０００１】
この発明は、油を吐出するためのポンプユニットに関し、特に、ハイブリッド車のモータ冷却用電動ポンプとして使用されるのに好適なポンプユニットに関する。
【背景技術】
【０００２】
特許文献１には、ハイブリッド車のモータ冷却用電動ポンプとして使用することができるポンプユニットとして、ハウジングと、ハウジング内に配置された回転軸と、回転軸を回転させるモータと、回転軸を支持する１対の軸受とを備えており、回転軸の端部に油を吐出するためのギヤポンプが設けられているものが提案されている。
【特許文献１】特開２００５−２２９６５８号公報
【発明の開示】
【発明が解決しようとする課題】
【０００３】
ハイブリッド車のモータ冷却用電動ポンプに必要な圧力は、配管系の圧損程度（０．１ＭＰａ以下）でよいことから、ギヤポンプのように高圧で油を吐出する必要がないので、この用途のポンプユニットは、低コスト化およびコンパクト化の余地があるものとなっている。
【０００４】
この発明の目的は、ハイブリッド車のモータ冷却用電動ポンプとして使用するのに好適であり、低コスト化およびコンパクト化が図られたポンプユニットを提供することにある。
【課題を解決するための手段】
【０００５】
この発明によるポンプユニットは、ハウジングと、ハウジング内に配置された回転軸と、回転軸を回転させるモータと、回転軸を支持する１対の軸受とを備えており、１対の軸受の一方は、円錐ころ軸受であり、円錐ころ軸受が大径側を軸方向外側にして配置されるとともに、ハウジングを貫通して円錐ころ軸受の小径側に油を供給する油供給通路が形成されており、円錐ころ軸受のポンプ作用によって円錐ころ軸受の大径側から油が吐出されることを特徴とするものである。
【０００６】
円錐ころ軸受は、内輪が回転すると、内輪の小径側から大径側に向かって油を流すポンプ作用を有しており、油供給通路を介して円錐ころ軸受の小径側に油を供給することにより、円錐ころ軸受のポンプ作用によって、円錐ころ軸受の大径側から油が吐出される。したがって、電動ポンプにおいて通常使用されている内接ギヤポンプや外接ギヤポンプなどを省略することができる。
【０００７】
１対の軸受の他方は、例えば、深溝玉軸受とされるが、その他の転がり軸受（アンギュラ玉軸受、円筒ころ軸受、円錐ころ軸受など）としてもよい。両方の軸受が円錐ころ軸受とされる場合、これらは背面合わせで配置される。
【０００８】
モータは、例えば、ブラシレスのセンサレスモータとされるが、ブラシ付きとしてもよい。
【０００９】
好ましくは、回転軸は、大径部およびその両側の小径部からなり、一方の小径部の外周に円錐ころ軸受の内輪が取り付けられ、他方の小径部の外周に玉軸受の内輪が取り付けられ、各軸受の外輪がハウジングに取り付けられ、モータは、ハウジング内周に設けられたステータと、回転軸の大径部外周に設けられたロータとからなるものとされる。
【発明の効果】
【００１０】
この発明のポンプユニットによると、円錐ころ軸受のポンプ作用を利用することにより、電動ポンプにおいて通常使用されている内接ギヤポンプや外接ギヤポンプを省略することができるので、大幅な低コスト化およびコンパクト化が可能となる。
【発明を実施するための最良の形態】
【００１１】
この発明の実施の形態を、以下図面を参照して説明する。以下の説明において、図の左右を左右というものとする。
【００１２】
図１は、この発明によるポンプユニットの１実施形態を示すもので、ポンプユニット(1)は、ハウジング(2)と、ハウジング(2)内に設けられた回転軸(3)と、回転軸(3)の両端部に設けられた左右の軸受(4)(5)と、回転軸(3)を回転させるモータ(6)とを備えている。
【００１３】
ハウジング(2)は、略円筒状のモータハウジング(11)と、その左側に連なって設けられた軸受ハウジング(12)と、軸受ハウジング(12)の左方の開口を閉鎖する左カバー部(13)と、モータハウジング(11)の右方の開口を閉鎖する右カバー部(14)とからなる。
【００１４】
モータハウジング(11)の右端部には、内向きフランジ部(11a)が設けられ、この内向きフランジ部(11a)に連なって左方（軸方向内方）にのびる小径の短円筒部(11b)が形成されている。
【００１５】
軸受ハウジング(12)は、環状で、軸受保持部(15)およびオイルシール保持部(16)からなる。軸受保持部(15)は、モータハウジング(11)の外径に等しい外径および円錐ころ軸受(4)の外輪(21)の外径に等しい内径を有している。オイルシール保持部(16)は、軸受保持部(15)の右面内径部に一体に設けられており、軸受保持部(15)の内径よりも小さい内径を有している。
【００１６】
回転軸(3)は、大径部(3a)と、その左右の小径部(3b)(3c)とからなる。
【００１７】
軸受ハウジング(12)のオイルシール保持部(16)と回転軸(3)の左側の小径部(3b)の右端部との間に、モータハウジング(11)内を密封するオイルシール(7)が設けられている。
【００１８】
軸受ハウジング(12)には、外部に開口する油吸入口(29)を有し軸受ハウジング(12)を貫通して円錐ころ軸受(4)の小径側に油を供給する油供給通路(9)が形成されている。左カバー部(13)の中央部には、油吐出口(30)が設けられている。
【００１９】
左の軸受(4)は、外輪(21)、内輪(22)、両輪(21)(22)間に配置された複数の円錐ころ(23)および円錐ころ(23)を保持する保持器(24)を有する円錐ころ軸受とされている。内輪(22)は、回転軸(3)の左の小径部(3b)左半部外周に取り付けられ、外輪(21)は、軸受ハウジング(12)の軸受保持部(15)内周に取り付けられている。
【００２０】
右の軸受(5)は、玉軸受とされており、その外輪(5a)がハウジング(2)の小径の短円筒部(11b)内周に、その内輪(5b)が回転軸(3)の右の小径部(3c)外周に取り付けられている。
【００２１】
図２に示すように、円錐ころ軸受(4)の外輪(21)には、円錐状の軌道面(21a)が形成され、内輪(22)には、円錐状の軌道面(22a)が形成されるとともに、軌道面(22a)の左端部に大鍔部(22b)が、軌道面(22a)の右端部に小鍔部(22c)がそれぞれ設けられている。円錐ころ軸受(4)は、内輪(22)が回転すると、内輪(22)の小径側から大径側に向かって油を流すポンプ作用を有している。そして、図１に示すポンプユニット(1)においては、この円錐ころ軸受(4)が小径側（内輪(22)の小鍔部(22c)）を右（軸方向内側）に、大径側（内輪(22)の大鍔部(22b)）を左（軸方向外側）にして使用されている。
【００２２】
モータ(6)は、ブラシレスのセンサレスモータとされており、モータハウジング(11)内周に設けられたステータ(26)と、回転軸(3)の大径部(3a)外周に設けられたロータ(27)とからなる。ステータ(26)は、コア(26a)に形成された複数のティースのそれぞれにコイル(26b)が巻回されたもので、ロータ(27)は、磁化の方向が半径方向で、かつ、その向きが周方向に交互に逆向きとなる永久磁石(27a)を有している。
【００２３】
このポンプユニット(1)によると、冷却用として使用される油は、油導入口(29)から導入され、油供給通路(9)を介して円錐ころ軸受(4)の外輪(21)と内輪(22)との間に連続的に供給される。円錐ころ軸受(4)は、前述のように、内輪(22)の小径側から大径側に向かって油を流すポンプ作用を有しており、この結果、連続的に供給された油は、円錐ころ軸受(4)の左方へと送り出されて、左カバー部(13)の油吐出口(30)からポンプユニット(1)外部へと吐出される。こうして、ギヤポンプなどを使用せずに、油を吐出することができる。
【図面の簡単な説明】
【００２４】
【図１】図１は、この発明によるポンプユニットの１実施形態を示す縦断面図である。
【図２】図２は、ポンプユニットで使用されている円錐ころ軸受を拡大して示す縦断面図である。
【符号の説明】
【００２５】
(1)     ポンプユニット
(2)     ハウジング
(3)     回転軸
(4)     円錐ころ軸受（軸受）
(5)     玉軸受（軸受）
(6)     モータ
(9)     油供給通路
【図１】
2008190373.tif 000003
【図２】
2008190373.tif 000004